(57)【要約】【課題】カメラ付き携帯電話等から電子メールに添付して送信された画像データのうち、公開したい画像データのみを容易に指定して一般に公開する。【解決手段】画像データが添付された電子メールを電子メール蓄積手段１２に蓄積し、管理ページ提供手段１３は、電子メール蓄積手段１２の全ての電子メールを読み出し、各電子メールの本文と添付された画像データとを並べて配置し、さらに画像データの公開または非公開を指定する公開指定部を設けたデータを提供する。公開指定部により指定された情報は、各電子メールに関連付けて公開非公開情報記憶手段１４に記憶し、画像ページ提供手段１５は、公開非公開情報記憶手段１４に記憶された情報に基づいて電子メール蓄積手段１２から公開と指定された電子メールの全てを読み出し、各電子メールの本文と各電子メールに添付された画像データとを並べて配置したデータを提供する。【選択図】図２
2005190182.tif 000002
【特許請求の範囲】
【請求項１】
画像データが添付された電子メールを受信する電子メール受信手段と、
同受信手段により受信した電子メールを蓄積する電子メール蓄積手段と、
管理装置からの要求に対し、前記電子メール蓄積手段に蓄積された全ての電子メールを読み出し、各電子メールの本文と各電子メールに添付された画像データとを並べて配置し、さらに各電子メールに添付された画像データの公開または非公開を指定する公開指定部を設けたデータを提供する手段と、
前記公開指定部により指定された公開または非公開に関する情報を各電子メールに関連付けて記憶する公開非公開情報記憶手段と、
クライアント装置からの要求に対し、前記公開非公開情報記憶手段に記憶された公開または非公開に関する情報に基づいて前記電子メール蓄積手段から公開と指定された電子メールの全てを読み出し、各電子メールの本文と各電子メールに添付された画像データとを並べて配置したデータを提供する手段と
を有する画像公開装置。
【請求項２】
画像データが添付された電子メールを受信するステップと、
前記受信した電子メールを電子メール蓄積手段に蓄積するステップと、
管理装置からの要求に対し、前記電子メール蓄積手段に蓄積された全ての電子メールを読み出し、各電子メールの本文と各電子メールに添付された画像データとを並べて配置し、さらに各電子メールに添付された画像データの公開または非公開を指定する公開指定部を設けたデータを提供するステップと、
前記公開指定部により指定された公開または非公開に関する情報を各電子メールに関連付けて公開非公開情報記憶手段に記憶するステップと、
クライアント装置からの要求に対し、前記公開非公開情報記憶手段に記憶された公開または非公開に関する情報に基づいて前記電子メール蓄積手段から公開と指定された電子メールの全てを読み出し、各電子メールの本文と各電子メールに添付された画像データとを並べて配置したデータを提供するステップと
を含む画像公開方法。
【発明の詳細な説明】
【技術分野】
【０００１】
本発明は、撮像装置付き携帯電話装置（以下、「カメラ付き携帯電話」と称す。）等から電子メールに添付して送信された画像データをインターネット、ＬＡＮ（ローカルエリアネットワーク）やＷＡＮ（ワイドエリアネットワーク）等の電気通信回線を介して一般に公開するための画像公開装置および画像公開方法に関する。
【背景技術】
【０００２】
カメラ付き携帯電話が普及しており、結婚式場にてこのカメラ付き携帯電話で写真を撮る姿が多く見受けられる。カメラ付き携帯電話で撮像された画像データは、主にこのカメラ付き携帯電話の画面上で見せ合うか、カメラ付き携帯電話のデータ送信機能を用いて他の装置に個別に送信することにより他の装置の画面上で見せ合うことによって利用される。
【０００３】
また、特許文献１には、電子メールの受信を常時監視しておき、カメラ付き携帯電話から送信された画像データを含む電子メールを受信すると、この電子メールに添付された画像データを取り出してＨＴＭＬによりウェブページデータを生成し、ウェブサーバにアップロードして、ウェブサーバ上で一般に公開する画像アップロードシステムが記載されている。
【０００４】
【特許文献１】特開２００２−１６３１９９号公報
【発明の開示】
【発明が解決しようとする課題】
【０００５】
特許文献１に記載の画像アップロードシステムを用いれば、結婚式場にてカメラ付き携帯電話で撮像された画像データを電子メールに添付して送信することにより、一般に公開することは可能である。ところが、結婚式場などで撮像された画像データの中には、結婚する当事者にとって公開したくない画像データが含まれていることが多い。
【０００６】
特許文献１に記載のシステムでは、電子メールを受信した時点で自動的にこの電子メールに添付された画像データからＨＴＭＬによりウェブページデータを生成し、一般に公開してしまうため、このように当事者にとって公開したくない画像データまでが公開されることになる。
【０００７】
そこで、本発明においては、カメラ付き携帯電話等から電子メールに添付して送信された画像データのうち、公開したい画像データのみを容易に指定して一般に公開することが可能な画像公開装置および画像公開方法を提供することを目的とする。
【課題を解決するための手段】
【０００８】
本発明の画像公開装置は、画像データが添付された電子メールを受信する電子メール受信手段と、受信手段により受信した電子メールを蓄積する電子メール蓄積手段と、管理装置からの要求に対し、電子メール蓄積手段に蓄積された全ての電子メールを読み出し、各電子メールの本文と各電子メールに添付された画像データとを並べて配置し、さらに各電子メールに添付された画像データの公開または非公開を指定する公開指定部を設けたデータを提供する手段と、公開指定部により指定された公開または非公開に関する情報を各電子メールに関連付けて記憶する公開非公開情報記憶手段と、クライアント装置からの要求に対し、公開非公開情報記憶手段に記憶された公開または非公開に関する情報に基づいて電子メール蓄積手段から公開と指定された電子メールの全てを読み出し、各電子メールの本文と各電子メールに添付された画像データとを並べて配置したデータを提供する手段と
を有する。
【０００９】
本発明の画像公開方法は、画像データが添付された電子メールを受信するステップと、受信した電子メールを電子メール蓄積手段に蓄積するステップと、管理装置からの要求に対し、電子メール蓄積手段に蓄積された全ての電子メールを読み出し、各電子メールの本文と各電子メールに添付された画像データとを並べて配置し、さらに各電子メールに添付された画像データの公開または非公開を指定する公開指定部を設けたデータを提供するステップと、公開指定部により指定された公開または非公開に関する情報を各電子メールに関連付けて公開非公開情報記憶手段に記憶するステップと、クライアント装置からの要求に対し、公開非公開情報記憶手段に記憶された公開または非公開に関する情報に基づいて電子メール蓄積手段から公開と指定された電子メールの全てを読み出し、各電子メールの本文と各電子メールに添付された画像データとを並べて配置したデータを提供するステップとを含む。
【００１０】
上記発明によれば、画像データが添付された電子メールが受信されると、この受信された電子メールは電子メール蓄積手段に蓄積される。そして、管理装置からの要求がなされると、電子メール蓄積手段に蓄積された全ての電子メールが読み出され、各電子メールの本文と各電子メールに添付された画像データとが並べて配置され、さらに各電子メールに添付された画像データの公開または非公開を指定する公開指定部が設けられたデータが提供される。
【００１１】
この管理装置により、公開指定部により公開または非公開が指定されると、この公開指定部により指定された公開または非公開に関する情報が、各電子メールに関連付けて公開非公開情報記憶手段に記憶される。また、クライアント装置からの要求がなされると、公開非公開情報記憶手段に記憶された公開または非公開に関する情報に基づいて電子メール蓄積手段から公開と指定された電子メールの全てが読み出され、各電子メールの本文と各電子メールに添付された画像データとが並べて配置されたデータが提供される。
【００１２】
これにより、クライアント装置には、管理装置により公開と指定された各電子メールの本文と各電子メールに添付された画像データとが並べて表示され、管理装置により非公開と指定された各電子メールに添付された画像データについては公開されない。
【発明の効果】
【００１３】
管理装置からの要求に対し、画像データが添付された電子メールを受信する電子メール蓄積手段に蓄積された全ての電子メールを読み出し、各電子メールの本文と各電子メールに添付された画像データとを並べて配置し、さらに各電子メールに添付された画像データの公開または非公開を指定する公開指定部を設けたデータを提供し、この公開指定部により指定された公開または非公開に関する情報を各電子メールに関連付けて公開非公開情報記憶手段に記憶するとともに、クライアント装置からの要求に対し、公開非公開情報記憶手段に記憶された公開または非公開に関する情報に基づいて電子メール蓄積手段から公開と指定された電子メールの全てを読み出し、各電子メールの本文と各電子メールに添付された画像データとを並べて配置したデータを提供する構成により、管理装置により公開と指定された各電子メールの本文と各電子メールに添付された画像データとが並べて表示され、管理装置により非公開と指定された各電子メールに添付された画像データについては公開されないようになるため、カメラ付き携帯電話等から電子メールに添付して送信された画像データのうち、公開したい画像データのみを容易に指定して一般に公開することが可能となる。
【発明を実施するための最良の形態】
【００１４】
図１は本発明の実施の形態における画像公開システムの概略構成図、図２は図１の画像公開装置のブロック図である。
【００１５】
図１において、本発明の実施の形態における画像公開システムは、画像公開装置１と、画像公開装置１に電気通信回線を介して接続されるパーソナルコンピュータや携帯電話装置等の管理装置２と、画像公開装置１に対して電気通信回線を介して画像データ付き電子メールＥを送信することが可能な携帯電話装置３と、画像公開装置１に電気通信回線を介して接続されるクライアント装置としてのパーソナルコンピュータ（以下、「ＰＣ」と称す。）４や携帯電話装置５等とにより構成される。
【００１６】
画像公開装置１は、図２に示すように、携帯電話装置３から送信された画像データ付き電子メールを受信する電子メール受信手段１１と、電子メール受信手段１１により受信した電子メールを蓄積する電子メール蓄積手段１２と、管理装置２に対して画像データの公開非公開を管理するための管理用のウェブページ（以下、「管理ページ」と称す。）のデータを提供する管理ページ提供手段１３と、各電子メールに添付された画像データの公開または非公開に関する情報（以下、「公開情報」と称す。）を記憶する公開非公開情報記憶手段１４と、ＰＣ４や携帯電話装置５等に画像データを配置したウェブページ（以下、「画像ページ」と称す。）のデータを提供する画像ページ提供手段１５とを有する。
【００１７】
ここで、携帯電話装置３は、例えばカメラ付き携帯電話であり、撮像した画像データを電子メールに添付して送信することが可能なものである。あるいは、電子メールに添付する画像データは、撮像した画像データ以外の画像データとすることも可能である。また、画像データを添付する電子メールには、携帯電話装置３のキーにより入力した文字データを本文として付加することができる。
【００１８】
携帯電話装置３により所定の電子メールアドレス宛てに送信された画像データ付き電子メールは、画像公開装置１の電子メール受信手段１１によって受信される。画像公開装置１は、電子メール受信手段１１によって受信した電子メールを電子メール蓄積手段１２に蓄積する。電子メール蓄積手段２１に蓄積される各電子メールは、各電子メールのヘッダに記録されている電子メール番号（Message-ID（メッセージＩＤ））に基づいて管理される。
【００１９】
管理ページ提供手段１３は、管理装置２からの要求に対し、図３に示すような管理ページ２０を提供するものである。管理ページ提供手段１３は、電子メール蓄積手段１２に蓄積された全ての電子メールを読み出し、図３に示すように各電子メールの本文２１ａ，２１ｂ，２１ｃと各電子メールに添付された画像データ２２ａ，２２ｂ，２２ｃとを並べて配置し、さらに各電子メールに添付された画像データの公開情報を指定する公開指定チェックボックス２３ａ，２３ｂ，２３ｃを設けた管理ページ２０を生成し、管理装置２へ提供する。
【００２０】
なお、本実施形態においては、管理ページ提供手段１３は、図３に示すように、この管理ページ２０に、さらに各電子メールのヘッダに記録されている送信日時２４ａ，２４ｂ，２４ｃを埋め込むとともに、各電子メールのヘッダに記録されている送信者名や送信者アドレス等２５ａ，２５ｂ，２５ｃを埋め込んでいる。また、図３に示すように、この管理ページ２０には、公開指定チェックボックス２３ａ，２３ｂ，２３ｃにより指定した公開情報を画像公開装置１へ送信するための公開情報送信ボタン２６が埋め込まれている。
【００２１】
公開非公開情報記憶手段１４は、この管理ページ２０の公開指定チェックボックス２３ａ，２３ｂ，２３ｃにより指定された公開情報に基づき、該当する電子メールに対応する電子メール番号と公開情報とを関連付けて記憶するものである。
【００２２】
画像ページ提供手段１５は、ＰＣ４や携帯電話装置５等からの要求に対し、図４に示すような画像ページ３０を提供するものである。画像ページ提供手段１５は、公開非公開情報記憶手段１４に記憶された公開情報に基づいて電子メール蓄積手段１２から公開と指定された電子メール番号に該当する電子メールの全てを読み出し、図４に示すように各電子メールの本文２１ａ，２１ｃ，２１ｄ，２１ｅと各電子メールに添付された画像データ２２ａ，２２ｃ，２２ｄ，２１ｅとを並べて配置した画像ページ３０を生成し、ＰＣ４や携帯電話装置５等へ提供する。
【００２３】
なお、本実施形態においては、画像ページ提供手段１５は、図４に示すように、この画像ページ３０に、さらに各電子メールのヘッダに記録されている送信日時２４ａ，２４ｃ，２４ｄ，２４ｅを埋め込むとともに、各電子メールのヘッダに記録されている送信者名や送信者アドレス等２５ａ，２５ｃ，２５ｄ，２５ｅを埋め込むものとする。また、図４に示すように、この画像ページ３０には、結婚式場の広告３１等の画像データを埋め込むことも可能である。
【００２４】
ところで、図１においては、管理装置２、携帯電話装置３、ＰＣ４および携帯電話装置５をそれぞれ１つのみ示しているが、これらは複数存在してもよい。また、画像公開装置１に対して画像データ付き電子メールを送信する装置は、携帯電話装置３以外の情報端末装置であってもよい。
【００２５】
以下、上記構成の画像公開システムによる画像公開手順について説明する。図５は結婚式場において本実施形態における画像公開システムを画像公開サービスとして提供する例を示す概要図である。
【００２６】
まず、披露宴を挙げる新郎新婦４１が結婚式場担当者４２に対して本実施形態における画像公開システムの利用を申し込むと、結婚式場担当者４２は、本実施形態における画像公開システムの管理者４３に対して、図６に示す申込ページ５０からシステム利用の申し込みを行う。この申込ページ５０は、画像公開装置１によって結婚式場担当者４２の利用するＰＣ等（図示せず。）に提供される利用申込用のウェブページである。
【００２７】
図６に示すように、申込ページ５０には、申込者名入力欄５１、ＩＤ入力欄５２、パスワード入力欄５３、公開用ＩＤ入力欄５４、公開用パスワード入力欄５５および公開期間入力欄５６が設けられている。また、申込ページ５０には、登録ボタン５７が設けられている。登録ボタン５８が押下されると、申込者名入力欄５１、ＩＤ入力欄５２、パスワード入力欄５３、公開用ＩＤ入力欄５４、公開用パスワード入力欄５５および公開期間入力欄５６にそれぞれ入力された内容が画像公開装置１に送信される。なお、この申込ページ５０は、各結婚式場専用のページであり、申込ページ５０には、それぞれの結婚式場名５７が表示されている。
【００２８】
申込者名入力欄５１には、結婚式を挙げる新郎新婦４１の名前を入力する。ここで、入力された内容は、画像公開装置１の画像ページ提供手段１５によって、図４に示すように画像ページ３０の見出し３２として埋め込まれる。
【００２９】
ＩＤ入力欄５２には、このサービスを利用する新郎新婦４１を、同じサービスを利用する他の新郎新婦と識別するためのＩＤを入力する。パスワード入力欄５３には、このＩＤを認証するためのパスワードを入力する。ＩＤ入力欄５２に入力されたＩＤは、携帯電話装置３により送信する画像データ付き電子メールの送り先アドレスの一部として利用される。画像公開装置１の電子メール受信手段１１は、この送り先アドレスによってこのサービスを利用する新郎新婦４１向けに送信された電子メールを、同じサービスを利用する他の新郎新婦と区別して、電子メール蓄積手段１２に蓄積する。また、ＩＤ入力欄５２に入力されたＩＤおよびパスワード入力欄５３に入力されたパスワードは、新郎新婦４１が管理装置２によって画像公開装置１にアクセスするためのＩＤおよびパスワードとしても利用される。
【００３０】
公開用ＩＤ入力欄５４には、このサービスを利用する新郎新婦４１を、同じサービスを利用する他の新郎新婦と識別するためのＩＤであって、画像公開装置１の画像ページ提供手段１５によってＰＣ４や携帯電話装置５に画像ページを提供する際、ＰＣ４や携帯電話装置５によって指定するＵＲＬ（Uniform Resource Locator）の一部とするＩＤを入力する。公開用パスワード入力欄５５には、このＩＤを認証するためのパスワードを入力する。
【００３１】
公開期間入力欄５６には、画像公開装置１によってＰＣ４や携帯電話装置５に画像ページを提供する期間を入力する。なお、本実施形態においては、デフォルトで３ヶ月、オプションで１２ヶ月を選択することが可能である。登録ボタン５８が押下されると、画像公開装置１は、この公開期間入力欄５６に入力された内容に基づいて課金を行い、管理用データベースに記録する。
【００３２】
そして、結婚式場担当者４２は、披露宴の出席者に対してＩＤ入力欄５２に入力したＩＤに基づく電子メールアドレスと、公開用ＩＤ入力欄５４に入力したＩＤに基づくＵＲＬと、公開用パスワード入力欄に入力したパスワードとを告知する。これに基づき、披露宴の参加者は、各自の携帯電話装置３によって披露宴の様子を撮影し、携帯電話装置３から指定された電子メールアドレス宛てに本文を入力し、撮影した画像データを添付した電子メールを送信する。
【００３３】
画像公開装置１は、この披露宴参加者の携帯電話装置３によって特定の電子メールアドレス宛てに送信された電子メールを電子メール受信手段１１により受信し、電子メール蓄積手段１２に蓄積する。後に、新郎新婦４１が、ＩＤ入力欄５２に入力されたＩＤに基づくＵＲＬおよびパスワード入力欄５３に入力されたパスワードを用いて管理装置２により画像公開装置１にアクセスすると、画像公開装置１は、前述のように管理ページ提供手段１３により管理ページ２０を管理装置２に提供する。
【００３４】
新郎新婦４１は、管理装置２に表示されるこの管理ページ２０により、電子メール蓄積手段１２に蓄積されている全ての画像データ付き電子メールの本文２１ａ，２１ｂ，２１ｃ、画像データ２２ａ，２２ｂ，２２ｃ、送信日時２４ａ，２４ｂ，２４ｃおよび送信者名や送信者アドレス等２５ａ，２５ｂ，２５ｃを確認することができる。
【００３５】
新郎新婦４１は、この管理ページ２０に表示されている各画像データ２２ａ，２２ｂ，２２ｃの中から公開してもよいものについて、該当する公開指定チェックボックス２３ａ，２３ｂ，２３ｃを管理装置２により指定する。そして、公開情報送信ボタン２６を押下すると、公開指定チェックボックス２３ａ，２３ｂ，２３ｃにより指定された公開情報が管理装置２から画像公開装置１へ送信される。
【００３６】
一方、披露宴参加者やその他、公開用ＩＤ入力欄５４に入力したＩＤに基づくＵＲＬと、公開用パスワード入力欄に入力したパスワードとを知らされた人（以下、「閲覧許可者」と称す。）が、これらのＵＲＬとパスワードとを用いてＰＣ４や携帯電話装置５によって画像公開装置１へアクセスすると、画像公開装置１は、前述のように画像ページ提供手段１５により画像ページ３０をＰＣ４や携帯電話装置５に提供する。これにより、閲覧許可者は、披露宴の様子を画像ページ３０により見ることができる。
【００３７】
このとき、画像ページ３０には、新郎新婦４１によって管理ページ２０の公開指定チェックボックス２３ａ，２３ｂ，２３ｃにより公開してもよいと指定されている画像データのみが表示され、指定されていないものについては表示されない。すなわち、本実施形態における画像公開システムによれば、電子メールに添付して送信された画像データのうち、新郎新婦４１が公開したい画像データのみを容易に指定して一般に公開することが可能である。
【００３８】
なお、本実施形態においては、管理ページ２０の公開指定チェックボックス２３ａ，２３ｂ，２３ｃによって公開してもよいものについて指定する構成としたが、公開したくないものについて非公開を指定する構成とすることも可能である。
【産業上の利用可能性】
【００３９】
本発明の画像公開装置は、披露宴の様子をカメラ付き携帯電話によって撮像し、一般に公開するための装置として有用であり、特に撮像された画像データの公開、非公開を容易に指定して、公開指定のものについてのみ表示する装置として好適である。
【図面の簡単な説明】
【００４０】
【図１】本発明の実施の形態における画像公開システムの概略構成図である。
【図２】図１の画像公開装置のブロック図である。
【図３】管理ページの例を示す図である。
【図４】画像ページの例を示す図である。
【図５】結婚式場において本実施形態における画像公開システムを画像公開サービスとして提供する例を示す概要図である。
【図６】申込ページの例を示す図である。
【符号の説明】
【００４１】
１  画像公開装置
２  管理装置
３  携帯電話装置
４  パーソナルコンピュータ（ＰＣ）
５  携帯電話装置
１１  電子メール受信手段
１２  電子メール蓄積手段
１３  管理ページ提供手段
１４  公開非公開情報記憶手段
１５  画像ページ提供手段
２０  管理ページ
３０  画像ページ
５０  申込ページ
【図１】
2005190182.tif 000003
【図２】
2005190182.tif 000004
【図３】
2005190182.tif 000005
【図４】
2005190182.tif 000006
【図５】
2005190182.tif 000007
【図６】
2005190182.tif 000008